(57)【要約】【課題】放射性物質を確実に封止する。【解決手段】放射性物質収容容器１Ａは、放射性物質を収容するとともに開口部１３を有する容器本体１０と、容器本体１０における開口部１３を覆う蓋部２０Ａと、蓋部２０Ａを容器本体１０に固定する締結部材３０と、開口部１３の縁部１３ｅに沿って延びるとともに、蓋部２０Ａと容器本体１０との境界部に設けられたエアフィルター４０Ａと、を備える。【選択図】図１
2020056718.tif 000002
【特許請求の範囲】
【請求項１】
放射性物質を収容するとともに開口部を有する容器本体と、
前記容器本体の前記開口部を覆う蓋部と、
前記蓋部を前記容器本体に固定する締結部と、
前記開口部の縁部に沿って延びるとともに、前記蓋部と前記容器本体との境界部に設けられたエアフィルターと、
を備える放射性物質収容容器。
【請求項２】
前記エアフィルターは、予め定められた粒径以上の物質の通過を阻止し、気体のみを通過させる
請求項１に記載の放射性物質収容容器。
【請求項３】
前記エアフィルターは、フィルター本体と、前記フィルター本体の外周部に設けられた枠体と、を備える
請求項１又は２に記載の放射性物質収容容器。
【請求項４】
前記容器本体及び前記蓋部との間で、前記エアフィルターを、前記開口部の縁部、及び前記蓋部の少なくとも一方に向かって付勢する付勢部材を備える
請求項１から３の何れか一項に記載の放射性物質収容容器。
【請求項５】
前記付勢部材は、線状又は板状のバネ材からなる
請求項４に記載の放射性物質収容容器。
【請求項６】
前記蓋部は、
前記容器本体の開口部に設けられ、前記開口部を覆う第一蓋体と、
前記第一蓋体に対して間隔をあけて設けられ、前記開口部を覆う第二蓋体と、を備え、
前記エアフィルターは、前記第一蓋体と前記第二蓋体との間に配置されている
請求項１から５の何れか一項に記載の放射性物質収容容器。
【請求項７】
前記エアフィルターは、前記第一蓋体の外径よりも大きな外径寸法を有し、
前記エアフィルターの外周部は、前記第一蓋体と前記容器本体との間に挟み込まれている
請求項６に記載の放射性物質収容容器。
【請求項８】
前記エアフィルターとは異なる位置で前記容器本体と前記蓋部との間に挟み込まれたシール材を備える
請求項１から７の何れか一項に記載の放射性物質収容容器。
【請求項９】
放射性物質を収容する容器本体の開口部と前記開口部を塞ぐ蓋部との境界部に設けられ、
前記開口部の縁部に沿って延びる環状で、予め定められた粒径以上の物質の通過を阻止し、気体のみを通過させるフィルター本体と、
前記フィルター本体の外周部に設けられた枠体と、
を備える放射性物質収容容器用フィルター。
【発明の詳細な説明】
【技術分野】
【０００１】
この発明は、放射性物質収容容器、放射性物質収容容器用フィルターに関する。
【背景技術】
【０００２】
原子力発電所の使用済み燃料は、保管や運搬を行う際に、放射性物質の飛散を抑えるため、キャスク等の気密性を兼ねた遮蔽容器に収容される。また、原子力発電所等の原子力施設を解体する際に生じる、放射性物質に接した機器の廃棄物等も、保管や運搬を行う際に、放射性物質の飛散を防ぐ収容容器に収容される。
このように、収容容器に収容した遮蔽容器や廃棄物等を、後で取り出す可能性がある場合、収納容器は、開閉可能な構成とする必要がある。
【０００３】
例えば、特許文献１には、容器と、容器の頂部開口を覆う蓋と、容器と蓋との間に設けられたＯリングと、を備える構成が開示されている。このような構成では、容器と蓋との間にＯリングを設けることで、容器と蓋との隙間から放射性物質が漏出することを防いでいる。
【先行技術文献】
【特許文献】
【０００４】
【特許文献１】特許第２５０７５８９号公報
【発明の概要】
【発明が解決しようとする課題】
【０００５】
しかしながら、上記したような構成では、容器を倒したり落下させたりした場合に、容器と蓋との間に僅かな隙間が生じると、Ｏリングによるシール性が損なわれてしまう可能性がある。例えば、容器と蓋とをボルトで締結した場合、ボルトが弾性変形領域内で軸方向に延びると、容器と蓋との間に瞬間的に隙間が生じる可能性がある。
この発明は、上記事情に鑑みてなされたものであり、放射性物質の封止性を高めることができる放射性物質収容容器、放射性物質収容容器用フィルターを提供することを目的とする。
【課題を解決するための手段】
【０００６】
この発明は、上記課題を解決するため、以下の手段を採用する。
この発明の第一態様によれば、放射性物質収容容器は、放射性物質を収容するとともに開口部を有する容器本体と、前記容器本体の前記開口部を覆う蓋部と、前記蓋部を前記容器本体に固定する締結部と、前記開口部の縁部に沿って延びるとともに、前記蓋部と前記容器本体との境界部に設けられたエアフィルターと、を備える。
【０００７】
上記第一態様では、蓋部と容器本体との境界部に、容器本体の開口部の縁部に沿って延びるエアフィルターを設けることによって、蓋部と容器本体と間に隙間が生じても、放射性物質はエアフィルターで捕捉される。これにより、放射性物質収容容器を落下させたり倒したりしたとき等にも、放射性物質が放射性物質収容容器の外部に漏出することを抑える。また、蓋部と容器本体との間に隙間が生じた場合、気体はエアフィルターを通過する。そのため、蓋部及び容器本体とエアフィルターとの間の隙間から放射性物質が漏出することを抑えることができる。その結果、放射性物質収容容器における放射性物質の封止性を高めることができる。
【０００８】
この発明の第二態様によれば、第一態様に係る前記エアフィルターは、予め定められた粒径以上の物質の通過を阻止し、気体のみを通過させるようにしてもよい。
このように構成することで、蓋部と容器本体と間に隙間が生じた場合、予め定められた粒径以上の放射性物質をエアフィルターで捕捉することができる。
【０００９】
この発明の第三態様によれば、第一又は第二態様に係る前記エアフィルターは、フィルター本体と、前記フィルター本体の外周部に設けられた枠体と、を備えるようにしてもよい。
このように構成することで、フィルター本体の外周部に設けられた枠体を、蓋部及び容器本体に当接させて、エアフィルターを蓋部と容器本体との境界部に設けることができる。
【００１０】
この発明の第四態様によれば、第一から第三態様の何れか一つの態様に係る放射性物質収容容器は、前記容器本体及び前記蓋部との間で、前記エアフィルターを、前記開口部の縁部、及び前記蓋部の少なくとも一方に向かって付勢する付勢部材を備えるようにしてもよい。
このように構成することで、付勢部材によって、エアフィルターが容器本体の開口部の縁部や蓋部に押し付けられる。これにより、容器本体及び蓋部との密着度を高めることができる。
【００１１】
この発明の第五態様によれば、第四態様に係る前記付勢部材は、線状又は板状のバネ材からなるようにしてもよい。
このように構成することで、付勢部材とエアフィルターとの接触面積を少なくし、付勢部材によってエアフィルターへの気体の通過が妨げられることを抑えることができる。
【００１２】
この発明の第六態様によれば、第一から第五態様の何れか一つの態様に係る前記蓋部は、前記容器本体の開口部に設けられ、前記開口部を覆う第一蓋体と、前記第一蓋体に対して間隔をあけて設けられ、前記開口部を覆う第二蓋体と、を備える。前記エアフィルターは、前記第一蓋体と前記第二蓋体との間に配置されている。
このように構成することで、第一蓋体と容器本体との隙間を通過した放射性物質をエアフィルターで捕捉することができる。したがって、第一蓋体と第二蓋体とを備えて二重構造とされた放射性物質収容容器の封止性を、さらに高めることができる。
【００１３】
この発明の第七態様によれば、第六態様に係る前記エアフィルターは、前記第一蓋体の外径よりも大きな外径寸法を有し、その外周部が前記第一蓋体と前記容器本体との間に挟み込まれているようにしてもよい。
このように構成することで、外周部が第一蓋体と容器本体との間に挟み込まれたエアフィルターによって、第一蓋体と容器本体との隙間を通過した放射性物質をより効果的に捕捉することができる。
【００１４】
この発明の第八態様によれば、第一から第七態様の何れか一つの態様に係る放射性物質収容容器は、前記エアフィルターとは異なる位置で前記容器本体と前記蓋部との間に挟み込まれたシール材を備えるようにしてもよい。
このように構成することで、放射性物質収容容器を落下させたり倒したりしたとき等に、シール材の部分で容器本体と蓋部との間に隙間が生じても、エアフィルターによって放射性物質の漏出を抑えることができる。
【００１５】
この発明の第九態様によれば、放射性物質収容容器用フィルターは、放射性物質を収容する容器本体の開口部と前記開口部を塞ぐ蓋部との境界部に設けられ、前記開口部の縁部に沿って延びる環状で、予め定められた粒径以上の物質の通過を阻止し、気体のみを通過させるフィルター本体と、前記フィルター本体の外周部に設けられた枠体と、を備える。
【００１６】
このような放射性物質収容容器用フィルターを、放射性物質を収容する容器本体と蓋部との境界部に設けることで、放射性物質収容容器における放射性物質の封止性を高めることができる。
【発明の効果】
【００１７】
上記放射性物質収容容器、放射性物質収容容器用フィルターによれば、放射性物質の封止性を高めることができる。
【図面の簡単な説明】
【００１８】
【図１】この発明の第一実施形態における放射性物質収容容器の全体構成を示す断面図である。
【図２】上記放射性物質収容容器の要部の構成を示す拡大断面図である。
【図３】この発明の第二実施形態における放射性物質収容容器の要部の構成を示す拡大断面図である。
【図４】上記放射性物質収容容器に設けられたエアフィルターを示す図であり、図３のＡ−Ａ矢視断面図である。
【図５】上記放射性物質収容容器に設けられたエアフィルターを示す図であり、図３のＢ−Ｂ矢視断面図である。
【図６】上記放射性物質収容容器の容器本体と蓋部との間に隙間が形成された状態を示す断面図である。
【図７】この発明の第二実施形態の変形例における放射性物質収容容器の要部の構成を示す拡大断面図である。
【図８】上記放射性物質収容容器に設けられたエアフィルターの一部を示す平面図である。
【図９】この発明の第三実施形態における放射性物質収容容器の要部の構成を示す拡大断面図である。
【図１０】この発明の変形例における放射性物質収容容器の要部の構成を示す拡大断面図である。
【図１１】この発明の他の変形例における放射性物質収容容器の要部の構成を示す拡大断面図である。
【発明を実施するための形態】
【００１９】
以下、この発明の一実施形態における放射性物質収容容器、放射性物質収容容器用フィルターを図面に基づき説明する。
（第一実施形態）
図１は、ここの発明の一実施形態における放射性物質収容容器の全体構成を示す断面図である。図２は、上記放射性物質収容容器の要部の構成を示す拡大断面図である。
図１に示すように、この実施形態の放射性物質収容容器１Ａは、容器本体１０と、蓋部２０Ａと、エアフィルター４０Ａと、を主に備える。
【００２０】
容器本体１０は、放射性物質を収容する。容器本体１０は、有底筒状で、底板部１１と、底板部１１の外周部から上方に立ち上がる筒状の周壁部１２と、を一体に有している。容器本体１０は、周壁部１２の上端部に、上方に向かって開口する開口部１３を有している。図２に示すように、周壁部１２の上端部には、開口部１３の内側に、拡径段部１４が形成されている。拡径段部１４は、周壁部１２の内周面１２ｆから径方向外側に拡径している。拡径段部１４は、内周面１２ｆの上端から径方向外側に延びる段差面１４ａを有する。段差面１４ａには、周方向に間隔をあけて複数の雌ネジ孔１４ｈが形成されている。
【００２１】
容器本体１０は、段差面１４ａの外周部から上方に延びる上部周壁部１５を有する。上部周壁部１５の上端部には、フィルター保持段部１６が形成されている。フィルター保持段部１６は、上部周壁部１５の内周面から径方向外側に拡径するように窪んで形成されている。フィルター保持段部１６は、周壁部１２の延びる方向（以下、単に軸線Ｏ方向と称する）に直交する方向（言い換えれば、周壁部１２の径方向）に向かって広がるフィルター保持面１６ａを有する。
容器本体１０は、その上端面１０ｔに、周方向に間隔をあけて複数の雌ネジ孔１０ｈを有している。
【００２２】
蓋部２０Ａは、容器本体１０の開口部１３を外側（換言すれば、上方）から覆う（塞ぐ）。蓋部２０Ａは、第一蓋体２１と、第二蓋体２２と、を備える。
【００２３】
第一蓋体２１は、容器本体１０の開口部１３を覆うように設けられている。第一蓋体２１は、板状で、その下面側に、周方向に連続する係合段部２３を有する。係合段部２３は、第一蓋体２１の外周面から径方向内側に窪むように形成されている。これにより、第一蓋体２１は、係合段部２３よりも下方の第一蓋体下部２１ｂの外径に対し、係合段部２３よりも上方の第一蓋体上部２１ｃの外径が大きい。言い換えれば、第一蓋体２１は、第一蓋体下部２１ｂに対し、第一蓋体上部２１ｃの外周部が径方向外側に張り出している。また、係合段部２３は、段差面１４ａに突き当たる突き当たり面２３ａを有する。第一蓋体２１は、第一蓋体下部２１ｂよりも径方向外側に張り出した部分に、周方向に間隔をあけて複数のボルト挿通孔２１ｈを備えている。
【００２４】
第一蓋体２１の突き当たり面２３ａは、拡径段部１４の段差面１４ａに当接している。第一蓋体２１の第一蓋体下部２１ｂは、周壁部１２の径方向内側に挿入されている。第一蓋体下部２１ｂは、周壁部１２の内周面に径方向で対向している。同様に、第一蓋体２１の第一蓋体上部２１ｃは、上部周壁部１５の径方向内側に挿入されている。第一蓋体上部２１ｃは、上部周壁部１５に径方向で対向している。
【００２５】
第一蓋体２１は、締結部材３０としての複数本の第一蓋体締結ボルト（締結部）３１により容器本体１０に固定されている。これら複数本の第一蓋体締結ボルト３１は、第一蓋体２１のボルト挿通孔２１ｈを通して容器本体１０の雌ネジ孔１４ｈにネジ作用により締結されている。
【００２６】
また、第一蓋体２１の突き当たり面２３ａと容器本体１０の段差面１４ａとの間には、第一シール材６１が挟み込まれている。第一シール材６１は、ゴム系材料等の弾性材料からなるＯリングであり、突き当たり面２３ａ及び段差面１４ａに沿って周方向に連続している。
このようにして、第一蓋体２１は、容器本体１０の開口部１３を気密に閉じている。
【００２７】
第二蓋体２２は、第一蓋体２１と同様に、容器本体１０の開口部１３を外側（換言すれば、上方）から覆うように設けられている。第二蓋体２２は、第一蓋体２１に対して容器本体１０の軸線Ｏ方向の上方に間隔をあけて設けられている。第二蓋体２２は、板状で、その下面側に、周方向に連続する係合段部２４を有する。係合段部２４は、第二蓋体２２の外周面から径方向内側に窪むように形成されている。これにより、第二蓋体２２は、係合段部２４よりも下方の第二蓋体下部２２ｂの外径に対し、係合段部２４よりも上方の第二蓋体上部２２ｃの外径が大きい。言い換えれば、第二蓋体下部２２ｂに対し、第二蓋体上部２２ｃの外周部が径方向外側に張り出している。また、係合段部２４は、容器本体１０の上端面１０ｔに突き当たる突き当たり面２４ａを有する。第二蓋体２２は、第二蓋体下部２２ｂよりも径方向外側に張り出した部分に、周方向に間隔をあけて複数のボルト挿通孔２２ｈを備えている。
【００２８】
第二蓋体２２の突き当たり面２４ａは、容器本体１０の上端面１０ｔに当接している。第二蓋体２２の第二蓋体下部２２ｂは、上部周壁部１５の内側に挿入されている。第二蓋体下部２２ｂは、上部周壁部１５に径方向で対向している。第二蓋体２２の第二蓋体上部２２ｃは、容器本体１０の上端面１０ｔ上で、上部周壁部１５から径方向外側に延びている。
【００２９】
第二蓋体２２は、締結部材３０としての複数本の第二蓋体締結ボルト（締結部）３２により容器本体１０に固定されている。これら複数本の第二蓋体締結ボルト３２は、第二蓋体２２のボルト挿通孔２２ｈを通して容器本体１０の雌ネジ孔１０ｈにネジ作用により締結されている。
【００３０】
第二蓋体２２の突き当たり面２４ａと容器本体１０の上端面１０ｔとの間には、第二シール材（シール材）６２が挟み込まれている。第二シール材６２は、ゴム系材料等の弾性材料からなる環状のＯリングであり、突き当たり面２４ａ及び上端面１０ｔに沿って周方向に連続している。
このようにして、第二蓋体２２は、容器本体１０の開口部１３を気密に閉じている。
【００３１】
エアフィルター４０Ａは、蓋部２０Ａの第二蓋体２２と容器本体１０との境界部Ｋ１に設けられている。エアフィルター４０Ａは、第一蓋体２１と第二蓋体２２との間に配置されている。エアフィルター４０Ａは、フィルター本体４１と、枠体４２と、を備えている。
【００３２】
フィルター本体４１は、予め定められた粒径以上の物質の通過を阻止し、気体のみを通過させる。フィルター本体４１は、例えば、メッシュ状、多孔質状の材料により形成することができる。フィルター本体４１を形成する材料としては、例えば、ＨＥＰＡ（Ｈｉｇｈ  Ｅｆｆｉｃｉｅｎｃｙ  Ｐａｒｔｉｃｕｌａｔｅ  Ａｉｒ）フィルター等高性能フィルターに利用されるガラス繊維、あるいは、一般フィルターに利用される合成繊維の繊布等を例示できる。
枠体４２は、フィルター本体４１の外周部に設けられている。枠体４２は、樹脂系材料、金属系材料等からなる。枠体４２は、例えば、籠状等に形成されて、フィルター本体４１を所定の形状に保持する。
【００３３】
エアフィルター４０Ａは、開口部１３の内周縁（縁部）１３ｅに沿って、開口部１３の周方向に延び、平面視で（言い換えれば、軸線Ｏ方向から見て）環状をなしている。エアフィルター４０Ａは、筒状部４０ｂと、内側フランジ部４０ｃと、を一体に有している。筒状部４０ｂは、容器本体１０の軸線Ｏ方向に延びる筒状をなしている。内側フランジ部４０ｃは、筒状部４０ｂの上端部から径方向内側に張り出すように形成されている。これら筒状部４０ｂ及び内側フランジ部４０ｃにより、エアフィルター４０Ａは、図２の断面視で逆Ｌ字状をなしている。
【００３４】
エアフィルター４０Ａの筒状部４０ｂは、フィルター保持段部１６に嵌め込まれている。筒状部４０ｂの下端は、フィルター保持段部１６のフィルター保持面１６ａによって下方から支持されている。エアフィルター４０Ａの筒状部４０ｂ及び内側フランジ部４０ｃの上面は、第二蓋体２２の下面に下方から突き当たっている。
【００３５】
このようにして、エアフィルター４０Ａは、容器本体１０と第二蓋体２２との境界部Ｋ１に設けられている。ここで、境界部Ｋ１とは、放射性物質収容容器１Ａの内側において、容器本体１０と第二蓋体２２とが互いに突き当たる部分を指す。エアフィルター４０Ａの筒状部４０ｂは、容器本体１０と第二蓋体２２との境界部Ｋ１から容器本体１０の軸線Ｏ方向に沿って下方に延びている。エアフィルター４０Ａの内側フランジ部４０ｃは、容器本体１０と第二蓋体２２との境界部Ｋ１から径方向内側に延びている。つまり、エアフィルター４０Ａは、容器本体１０と第二蓋体２２との境界部Ｋ１を跨がるように設けられている。
【００３６】
図１に示すように、放射性物質収容容器１Ａは、容器本体１０内に、放射性物質、又は放射性物質に接した廃棄物等の収容物１００を収容する。
【００３７】
このような放射性物質収容容器１Ａは、誤って倒したり落下させたりしてしまったときに、その衝撃によって、第一蓋体締結ボルト３１、第二蓋体締結ボルト３２の弾性変形領域内で延びてしまう可能性がある。このとき、蓋部２０Ａ（第一蓋体２１、第二蓋体２２）と容器本体１０との間に隙間が瞬間的に生じてしまう場合がある。このような場合、エアフィルター４０Ａが蓋部２０Ａと容器本体１０との境界部Ｋ１に設けられているので、蓋部２０Ａと容器本体１０と間に隙間が生じても、放射性物質はエアフィルター４０Ａで捕捉される。また、容器本体１０内の気体はエアフィルター４０Ａのフィルター本体４１を通過する。これにより、容器本体１０内の気体が、エアフィルター４０Ａの周方向外側に回り込んで、エアフィルター４０Ａと蓋部２０Ａ及び容器本体１０との間を通過することを抑えることができる。
【００３８】
したがって、上述した第一実施形態の放射性物質収容容器１Ａによれば、蓋部２０Ａと容器本体１０との境界部Ｋ１に、容器本体１０の開口部１３の周方向に延びるエアフィルター４０Ａを設けることによって、放射性物質収容容器１Ａの外部への放射性物質の漏出を抑えることができる。その結果、放射性物質収容容器１Ａにおける放射性物質の封止性を高めることができる。
【００３９】
また、エアフィルター４０Ａは、予め定められた粒径以上の物質の通過を阻止し、気体のみを通過させる。このように構成することで、蓋部２０Ａと容器本体１０と間に隙間が生じた場合、予め定められた粒径以上の放射性物質はエアフィルター４０Ａで捕捉され、気体のみが通過する。したがって、放射性物質収容容器１Ａは、予め定められた粒径以上の放射性物質の外部への漏出を抑えることができる。
【００４０】
さらに、エアフィルター４０Ａは、フィルター本体４１と、フィルター本体４１の外周部に設けられた枠体４２と、を備えている。これにより、フィルター本体４１の外周部に設けられた枠体４２を、蓋部２０Ａ及び容器本体１０に当接させて、エアフィルター４０Ａを蓋部２０Ａと容器本体１０との境界部Ｋ１に設けることができる。
【００４１】
また、エアフィルター４０Ａは、第一蓋体２１と第二蓋体２２との間に配置されている。このように構成することで、第一蓋体２１と容器本体１０との隙間を通過した放射性物質をエアフィルター４０Ａで捕捉することができる。これにより、第一蓋体２１と第二蓋体２２とを備えて二重構造とされた放射性物質収容容器１Ａの封止性を、さらに高めることができる。
【００４２】
さらに、放射性物質収容容器１Ａは、エアフィルター４０Ａとは異なる位置で容器本体１０と蓋部２０Ａとの間に挟み込まれた第二シール材６２を備えている。このように構成することで、放射性物質収容容器１Ａを落下させたり倒したりしたとき等に、第二シール材６２の部分で容器本体１０と蓋部２０Ａとの間に隙間が生じても、エアフィルター４０Ａによって放射性物質の漏出を抑えることができる。
【００４３】
また、上述した第一実施形態のエアフィルター４０Ａを、放射性物質を収容する容器本体１０と蓋部２０Ａとの境界部Ｋ１に設けることで、放射性物質収容容器１Ａにおける放射性物質の封止性を高めることができる。
【００４４】
（第二実施形態）
次に、この発明に係る放射性物質収容容器、放射性物質収容容器用フィルターの第二実施形態について説明する。以下に説明する第二実施形態においては、第一実施形態とエアフィルターの構成のみが異なるので、第一実施形態と同一部分に同一符号を付して説明するとともに、重複説明を省略する。
【００４５】
図３は、この発明の第二実施形態における放射性物質収容容器の要部の構成を示す拡大断面図である。図４は、上記放射性物質収容容器に設けられたエアフィルターを示す図であり、図３のＡ−Ａ矢視断面図である。図５は、上記放射性物質収容容器に設けられたエアフィルターを示す図であり、図３のＢ−Ｂ矢視断面図である。図６は、上記放射性物質収容容器の容器本体と蓋部との間に隙間が形成された状態を示す断面図である。
図３に示すように、この実施形態の放射性物質収容容器１Ｂは、容器本体１０と、蓋部２０Ｂと、エアフィルター４０Ｂと、を主に備える。
【００４６】
蓋部２０Ｂは、容器本体１０の開口部１３を覆う（塞ぐ）。蓋部２０Ｂは、第一蓋体２１と、第二蓋体２２Ｂと、を備える。
【００４７】
第二蓋体２２Ｂは、容器本体１０の開口部１３を覆うように設けられている。第二蓋体２２Ｂは、第一蓋体２１に対して容器本体１０の軸線Ｏ方向の上方に間隔をあけて設けられている。第二蓋体２２Ｂは、板状で、下面側に、周方向に連続する係合段部２４を有する。
第二蓋体２２Ｂの第二蓋体下部２２ｂには、フィルター収容溝２５が形成されている。フィルター収容溝２５は、第二蓋体下部２２ｂの外周面から径方向内側に窪むように形成されている。フィルター収容溝２５は、容器本体１０の周方向に連続して形成されている。
【００４８】
第二蓋体２２Ｂの突き当たり面２４ａは、容器本体１０の上端面１０ｔに当接している。第二蓋体２２Ｂの第二蓋体下部２２ｂは、上部周壁部１５の内側に挿入されている。第二蓋体下部２２ｂは、上部周壁部１５に径方向で対向している。第二蓋体２２Ｂの第一蓋体上部２１ｃは、容器本体１０の上端面１０ｔ上で、上部周壁部１５から径方向外側に延びている。
第二蓋体２２Ｂは、締結部材３０としての複数本の第二蓋体締結ボルト３２により容器本体１０に固定されている。
【００４９】
エアフィルター４０Ｂは、蓋部２０Ｂの第二蓋体２２Ｂと容器本体１０との境界部Ｋ２に設けられている。エアフィルター４０Ｂは、第一蓋体２１と第二蓋体２２Ｂとの間に配置されている。図３〜図５に示すように、エアフィルター４０Ｂは、フィルター本体４１と、枠体４２と、を備える。ここで、境界部Ｋ２とは、放射性物質収容容器１Ｂの内側において、容器本体１０と第二蓋体２２Ｂとが互いに突き当たる部分を指す。
【００５０】
エアフィルター４０Ｂは、第一実施形態のエアフィルター４０Ａと同様に、平面視で環状をなしている。エアフィルター４０Ｂは、筒状部４０ｄと、内側フランジ部４０ｅと、を一体に有している。筒状部４０ｄは、容器本体１０の軸線Ｏ方向に延びる筒状をなしている。内側フランジ部４０ｅは、筒状部４０ｄの上端部から径方向内側に張り出すように形成されている。これら筒状部４０ｄ及び内側フランジ部４０ｅにより、エアフィルター４０Ｂは、図３の断面視で逆Ｌ字状をなしている。
【００５１】
エアフィルター４０Ｂの筒状部４０ｄは、フィルター保持段部１６に嵌め込まれている。エアフィルター４０Ｂの筒状部４０ｄの上部及び内側フランジ部４０ｅは、フィルター収容溝２５に収容されている。
【００５２】
エアフィルター４０Ｂを、付勢部材４５Ａ、４５Ｂを備える。図３、図４に示すように、付勢部材４５Ａは、エアフィルター４０Ｂの内側フランジ部４０ｅの径方向内側に設けられている。付勢部材４５Ａは、線状又は板状のバネ材４６Ａからなり、例えば波状に湾曲形成されている。付勢部材４５Ａは、図４中に矢印Ｐで示すように、エアフィルター４０Ｂの内側フランジ部４０ｅを、径方向外側、すなわち容器本体１０と第二蓋体２２Ｂとの境界部Ｋ２側に押圧する。図３、図５に示すように、付勢部材４５Ｂは、エアフィルター４０Ｂの筒状部４０ｄの軸線Ｏ方向下側に設けられている。付勢部材４５Ｂは、線状又は板状のバネ材４６Ｂからなり、例えば波状に湾曲形成されている。付勢部材４５Ｂは、図５中に矢印Ｑで示すように、エアフィルター４０Ｂの筒状部４０ｄを、容器本体１０の軸線Ｏ方向に沿って第二蓋体２２Ｂ側、すなわち容器本体１０と第二蓋体２２Ｂとの境界部Ｋ２側に押圧する。
【００５３】
このようにして、エアフィルター４０Ｂは、容器本体１０と第二蓋体２２Ｂとの境界部Ｋ２に設けられている。エアフィルター４０Ｂの筒状部４０ｄは、容器本体１０と第二蓋体２２Ｂとの境界部Ｋ２から容器本体１０の軸線Ｏ方向下方に延びている。エアフィルター４０Ｂの内側フランジ部４０ｅは、容器本体１０と第二蓋体２２Ｂとの境界部Ｋ２から径方向内側に延びている。つまり、エアフィルター４０Ｂは、第一実施形態のエアフィルター４０Ａと同様に、容器本体１０と第二蓋体２２Ｂとの境界部Ｋ２を跨がるように設けられている。
【００５４】
図６に示すように、放射性物質収容容器１Ｂを、誤って倒したり落下させたりしてしまったときに、第一蓋体締結ボルト３１、第二蓋体締結ボルト３２が、図６中に示す矢印Ｘのように弾性変形領域内で延び、蓋部２０Ｂ（第一蓋体２１、第二蓋体２２Ｂ）と容器本体１０との間に隙間Ｓが生じてしまう可能性がある。このような場合、エアフィルター４０Ｂが蓋部２０Ｂと容器本体１０との境界部Ｋ２に設けられているので、蓋部２０Ｂと容器本体１０と間に隙間Ｓが生じても、放射性物質はエアフィルター４０Ｂで捕捉される。また、蓋部２０Ｂと容器本体１０と間に隙間Ｓが生じた場合、容器本体１０内の気体はエアフィルター４０Ｂのフィルター本体４１を通過する。すなわち、容器本体１０内の気体が、エアフィルター４０Ｂの外側に回り込んで、エアフィルター４０Ｂと蓋部２０Ｂ及び容器本体１０と間を通過することが抑えられる。
さらに、エアフィルター４０Ｂは、付勢部材４５Ａ、４５Ｂによって、容器本体１０や蓋部２０Ｂに押し付けられている。これにより、容器本体１０及び蓋部２０Ｂとの密着度が高められている。
【００５５】
したがって、上述した第二実施形態の放射性物質収容容器１Ｂによれば、蓋部２０Ｂと容器本体１０との境界部Ｋ２に、容器本体１０の開口部１３の周方向に延びるエアフィルター４０Ｂを設けることによって、放射性物質収容容器１Ｂの外部への放射性物質の漏出を抑えることができる。その結果、放射性物質収容容器１Ｂにおける放射性物質の封止性を高めることができる。
【００５６】
さらに、付勢部材４５Ａ、４５Ｂによって、エアフィルター４０Ｂが、開口部１３の径方向外側の容器本体１０や、容器本体１０の軸線Ｏ方向上方の蓋部２０Ｂに押し付けられる。これにより、容器本体１０及び蓋部２０Ｂとの密着度を高めることができる。
【００５７】
また、付勢部材４５Ａ、４５Ｂは、線状又は板状のバネ材４６Ａ、４６Ｂからなる。これにより、付勢部材４５Ａ、４５Ｂとエアフィルター４０Ｂとの接触面積を少なくし、エアフィルター４０Ｂへの気体の通過が、付勢部材４５Ａ、４５Ｂによって妨げられるのを抑えることができる。
【００５８】
（第二実施形態の変形例）
上記第二実施形態において、エアフィルター４０Ｂに波状の付勢部材４５Ａ、４５Ｂを備えるようにしたが、これに限らない。
図７は、この発明の第二実施形態の変形例における放射性物質収容容器の要部の構成を示す拡大断面図である。図８は、上記放射性物質収容容器に設けられたエアフィルターの一部を示す平面図である。
図７、図８に示すように、放射性物質収容容器１Ｂは、エアフィルター４０Ｂに、付勢部材４５Ｃ、４５Ｄを備える。付勢部材４５Ｃは、エアフィルター４０Ｂの内側フランジ部４０ｅの径方向内側に設けられている。付勢部材４５Ｄは、エアフィルター４０Ｂの筒状部４０ｄの軸線Ｏ方向下側に設けられている。付勢部材４５Ｃ、４５Ｄは、板状のバネ材４６Ｃ、４６Ｄからなり、例えば断面視略Ｊ字状に湾曲形成されている。付勢部材４５Ｃは、エアフィルター４０Ｂの内側フランジ部４０ｅに基端部が接合されている。付勢部材４５Ｃは、エアフィルター４０Ｂから離間する径方向内側（境界部Ｋ２から離間する側）に斜めに延び、その先端部が径方向外側に向かってＪ字状に折り返されている。このような付勢部材４５Ｃは、図８中に矢印Ｙで示すように、エアフィルター４０Ｂの内側フランジ部４０ｅを径方向外側、すなわち容器本体１０と第二蓋体２２Ｂとの境界部Ｋ２側に押圧する。付勢部材４５Ｄは、エアフィルター４０Ｂの筒状部４０ｄに基端部が接合されている。付勢部材４５Ｄは、エアフィルター４０Ｂから離間する軸線Ｏ方向下側（境界部Ｋ２から離間する側）に斜めに延び、その先端部がＪ字状に折り返されている。このような付勢部材４５Ｄは、エアフィルター４０Ｂの筒状部４０ｄを、容器本体１０の軸線Ｏ方向で第二蓋体２２Ｂ側、すなわち容器本体１０と第二蓋体２２Ｂとの境界部Ｋ２側に押圧する。
【００５９】
（第三実施形態）
次に、この発明に係る放射性物質収容容器、放射性物質収容容器用フィルターの第三実施形態について説明する。以下に説明する第三実施形態においては、第一、第二実施形態とエアフィルターの構成のみが異なるので、第一実施形態と同一部分に同一符号を付して説明するとともに、重複説明を省略する。
【００６０】
図９は、この発明の第三実施形態における放射性物質収容容器の要部の構成を示す拡大断面図である。
図９に示すように、この実施形態の放射性物質収容容器１Ｃは、容器本体１０Ｃと、蓋部２０Ｃと、エアフィルター４０Ｃと、を主に備える。
【００６１】
容器本体１０Ｃの上部周壁部１５の上端部には、フィルター保持段部１６Ｃが形成されている。フィルター保持段部１６Ｃは、上部周壁部１５の内周面から径方向外側に拡径するように窪んで形成されている。フィルター保持段部１６Ｃは、容器本体１０Ｃの軸線Ｏ方向に直交するフィルター保持面１６ｄを有する。
【００６２】
蓋部２０Ｃは、第一蓋体２１と、第二蓋体２２Ｃと、を備える。
第二蓋体２２Ｃは、下面側に、周方向に連続する段部２７を有する。段部２７は、第二蓋体２２Ｃの外周面から径方向内側に窪むように形成されている。これにより、段部２７よりも下方の第二蓋体下部２２ｆの外径に対し、段部２７よりも上方の第二蓋体上部２２ｇの外径が大きい。言い換えると、第二蓋体下部２２ｆに対し、第二蓋体上部２２ｇの外周部が径方向外側に張り出している。また、段部２７は、容器本体１０Ｃの上端面１０ｔに突き当たる突き当たり面２７ａを有する。
【００６３】
第二蓋体２２Ｃの第二蓋体下部２２ｆは、フィルター収容溝２８を備えている。フィルター収容溝２８は、第二蓋体下部２２ｆの外周面から径方向内側に窪むように形成されている。フィルター収容溝２８は、容器本体１０Ｃの周方向に連続して形成されている。
【００６４】
第二蓋体２２Ｃの突き当たり面２７ａは、容器本体１０Ｃの上端面１０ｔに当接している。第二蓋体２２Ｃの第二蓋体下部２２ｆは、上部周壁部１５の内側に挿入されている。第二蓋体下部２２ｆは、上部周壁部１５に径方向で対向している。第二蓋体２２Ｃの第二蓋体上部２２ｇは、容器本体１０Ｃの上端面１０ｔ上で径方向外側に延びている。
【００６５】
エアフィルター４０Ｃは、蓋部２０Ｃの第二蓋体２２Ｃと容器本体１０Ｃとの境界部Ｋ３に設けられている。エアフィルター４０Ｃは、第一蓋体２１と第二蓋体２２Ｃとの間に配置されている。エアフィルター４０Ｃは、フィルター本体４１と、枠体４２と、を備える。ここで、境界部Ｋ３とは、放射性物質収容容器１Ｃの内側において、容器本体１０Ｃと第二蓋体２２Ｃとが互いに突き当たる部分を指す。
【００６６】
エアフィルター４０Ｃは、平面視で環状をなしている。エアフィルター４０Ｃは、フィルター収容溝２８に収容されている。エアフィルター４０Ｃは、第一蓋体２１の外径よりも大きな外径寸法を有している。エアフィルター４０Ｃの外周部は、第二蓋体２２Ｃと容器本体１０との間に挟み込まれている。エアフィルター４０Ｃの外周部は、フィルター保持段部１６Ｃのフィルター保持面１６ｄによって下方から支持されている。
このようにして、エアフィルター４０Ｃは、容器本体１０Ｃと第二蓋体２２Ｃとの境界部Ｋ３に設けられている。
【００６７】
したがって、上述した第三実施形態の放射性物質収容容器１Ｃによれば、蓋部２０Ｃと容器本体１０Ｃとの境界部Ｋ３に、容器本体１０Ｃの開口部１３の周方向に延びるエアフィルター４０Ｃを設けることによって、放射性物質収容容器１Ｃの外部への放射性物質の漏出を抑えることができる。その結果、放射性物質収容容器１Ｃにおける放射性物質の封止性を高めることができる。
【００６８】
さらに、エアフィルター４０Ｃは、第一蓋体２１の外径よりも大きな外径寸法を有し、その外周部が第二蓋体２２Ｃと容器本体１０との間に挟み込まれている。そのため、第一蓋体２１と容器本体１０との隙間を通過した放射性物質を、外周部が第二蓋体２２Ｃと容器本体１０との間に挟み込まれたエアフィルター４０Ｃによって、より効果的に捕捉することができる。
【００６９】
（その他の変形例）
この発明は、上述した実施形態に限定されるものではなく、この発明の趣旨を逸脱しない範囲において、上述した実施形態に種々の変更を加えたものを含む。すなわち、実施形態で挙げた具体的な形状や構成等は一例にすぎず、適宜変更が可能である。
【００７０】
実施形態では、蓋部が第一蓋体と第二蓋体とを備える場合について説明した。しかし、蓋部は第一蓋体と第二蓋体との二つの蓋体を備えるものに限られない。例えば、蓋部は、蓋体を一つだけ備えるようにしてもよい。蓋体を一つだけ備える場合、蓋体と容器本体との接触部、即ち容器本体の内部気体が通過しうる隙間を塞ぐようにエアフィルターを設置することで、上記実施形態と同様の効果を持たせることができる。
【００７１】
図１０は、この発明の変形例における放射性物質収容容器の要部の構成を示す拡大断面図である。
この図１０に示すように、放射性物質収容容器１Ｄのエアフィルター４０Ｄは、容器本体１０Ｄの上端面（縁部）１０ｔに形成された容器側溝１０ｍと、蓋部２０Ｄの第二蓋体２２Ｄの下面に形成された蓋側溝２２ｍとに嵌め込まれている。このようなエアフィルター４０Ｄは、蓋部２０Ｄの第二蓋体２２Ｄと容器本体１０Ｄとの境界部Ｋ４に設けられている。境界部Ｋ４は、放射性物質収容容器１Ｄの内側において、容器本体１０Ｄと第二蓋体２２Ｄとが互いに突き当たる部分を指す。
【００７２】
図１１は、この発明の他の変形例における放射性物質収容容器の要部の構成を示す拡大断面図である。
この図１１に示すように、放射性物質収容容器１Ｅのエアフィルター４０Ｅは、蓋部２０Ｅの第二蓋体２２Ｅの外周面と、容器本体１０Ｅの上部周壁部１５との間に設けられているようにしてもよい。このようなエアフィルター４０Ｄは、第二蓋体２２Ｅと容器本体１０Ｅとの境界部Ｋ５に設けられている。
【符号の説明】
【００７３】
１Ａ〜１Ｅ  放射性物質収容容器
１０、１０Ｃ、１０Ｄ、１０Ｅ  容器本体
１０ｈ  雌ネジ孔
１０ｍ  容器側溝
１０ｔ  上端面（縁部）
１１  底板部
１２  周壁部
１２ｆ  内周面
１３  開口部
１３ｅ  内周縁（縁部）
１４  拡径段部
１４ａ  段差面
１４ｈ  雌ネジ孔
１５  上部周壁部
１６、１６Ｃ  フィルター保持段部
１６ａ、１６ｄ  フィルター保持面
２０Ａ〜２０Ｅ  蓋部
２１  第一蓋体
２１ｂ  第一蓋体下部
２１ｃ  第一蓋体上部
２１ｈ  ボルト挿通孔
２２、２２Ｂ、２２Ｃ、２２Ｄ、２２Ｅ  第二蓋体
２２ｂ、２２ｆ  第二蓋体下部
２２ｃ、２２ｇ  第二蓋体上部
２２ｈ  ボルト挿通孔
２２ｍ  蓋側溝
２３  係合段部
２３ａ  突き当たり面
２４  係合段部
２４ａ  突き当たり面
２５  フィルター収容溝
２７  段部
２７ａ  突き当たり面
２８  フィルター収容溝
３０  締結部材
３１  第一蓋体締結ボルト（締結部）
３２  第二蓋体締結ボルト（締結部）
４０Ａ〜４０Ｅ  エアフィルター
４０ｂ、４０ｄ  筒状部
４０ｃ、４０ｅ  内側フランジ部
４１  フィルター本体
４２  枠体
４５Ａ〜４５Ｄ  付勢部材
４６Ａ〜４６Ｄ  バネ材
６１  第一シール材
６２  第二シール材（シール材）
１００  収容物
Ｋ１〜Ｋ５  境界部
Ｓ  隙間
【図１】
2020056718.tif 000003
【図２】
2020056718.tif 000004
【図３】
2020056718.tif 000005
【図４】
2020056718.tif 000006
【図５】
2020056718.tif 000007
【図６】
2020056718.tif 000008
【図７】
2020056718.tif 000009
【図８】
2020056718.tif 000010
【図９】
2020056718.tif 000011
【図１０】
2020056718.tif 000012
【図１１】
2020056718.tif 000013